(57)【特許請求の範囲】
【請求項１】
前面が開口した本体キャビネットと、当該本体キャビネットの開口を開閉する外扉と、前記外扉の前面に配設した操作ハンドルの操作に連動して回動する操作レバーより当該外扉に設けたスライダをスライド移動させて本体キャビネットに設けたフック金具と係合・離脱させて外扉をロック・アンロックする扉ロック装置と、前記扉ロック装置による外扉のロック時にはスライダに係合し、前記扉ロック装置による外扉のアンロック時にはスライダから離脱する態様で扉ロック装置の操作レバーに連動してスライダに係合・離脱するカンヌキ部材を備えた自動販売機において、
前記カンヌキ部材をスライダに係合する方向に付勢する態様で操作レバーに当接させてなる付勢手段と、前記付勢手段に抗する方向にカンヌキ部材を駆動して操作レバーから離脱させる駆動源と、前記スライダを手動操作する態様でスライド移動させてフック金具から離脱させるスライダ移動手段と、補助電源装置と、商用電源の停止時に駆動源に補助電源装置から電力を供給する制御手段を備え、前記カンヌキ部材は、通常時には付勢手段の付勢力により前記扉ロック装置の操作レバーに連動してスライダに係合・離脱するように構成される一方、商用電源の停止時に補助電源装置から給電される駆動源により駆動されてスライダから離脱してスライダ移動手段によるスライダの手動操作を許容することを特徴とする自動販売機。
【請求項２】
請求項１に記載の自動販売機において、外扉におけるスライダの近傍に形成された開口部を閉塞するカバー部材を備え、スライダを直接的に手動操作する態様でスライド移動させてフック金具から離脱させるスライダ移動手段は、前記蓋部材を開放したうえで前記開口部を介してスライダを直接操作するように構成されてなることを特徴とする自動販売機。
【発明の詳細な説明】
【技術分野】
【０００１】
この発明は、庫内に飲料や食料などの商品を収容し、購入者が代金を投入して希望する商品を選択すると庫内に収容した商品を販売する自動販売機にかかり、特に、震災などの緊急時に自動販売機を飲料供給源として庫内に収容した商品を無料で提供できるようにした自動販売機に関する。
【背景技術】
【０００２】
清涼飲料などを販売する飲料自動販売機は、前面が開放した断熱筐体として形成された本体キャビネットと、本体キャビネットの前面にヒンジにより開閉可能に支持された外扉とからなる。断熱筐体として形成された本体キャビネットの庫内には商品を横倒し状態で収納するとともに下端部に商品搬出装置を有する商品ラックが収設されるとともに、前記商品ラックの下部には商品搬出装置により切り出された商品が滑動ないしは転動する前傾姿勢の商品搬出シュータが配設され、当該商品搬出シュータの下部であって各商品収納室の下端には、当該各商品収納室を冷却もしくは加熱して商品ラックに収納した商品をコールド・ホット状態に保存する冷却／加熱ユニットが配設されている。
【０００３】
前記外扉の前面の上部域は商品見本を展示する透明板で覆われたディスプレイ室として形成され、前記透明板の前面には商品選択ボタンユニットが設けられ、商品選択ボタンユニットには展示された商品見本に対応して設けられた商品選択ボタンを有している。また、外扉の前面には硬貨投入口、紙幣挿入口、硬貨返却口、返却レバー、商品取出口、ハンドルロックなどが設けられている。前記ハンドルロックは、外扉に装着されるハンドルケースと、このハンドルケースに組み込まれた操作ハンドルと、この操作ハンドルに嵌め込み固定されたシリンダー錠からなる。
【０００４】
前記ハンドルロックの背後における本体キャビネットと外扉との間にはフック金具と上下にスライド移動可能なスライダとからなるロック機構が設けられている。フック金具は本体キャビネットの前面開口端部に前方に突出して設けられる一方、スライダは外扉に上下方向にスライド移動自在に配設されている。前記ハンドルロックの操作ハンドルにはスライダに連結した操作レバーが固着され、操作ハンドルの回転操作により操作レバーを介してスライダをスライド移動させてフック金具に係合・離脱させることにより外扉をロック・アンロックするように構成されている。前記フック金具とスライダとからなるロック機構および前記ハンドルロックにより扉ロック装置を構成している。また、ハンドルロックの操作ハンドルの回転操作により回動する操作レバーに連動してスライダに係合・離脱するカンヌキ部材を設け、扉ロック装置の外扉ロック時にカンヌキ部材がスライダに係合し、扉ロック装置の外扉アンロック時にカンヌキ部材がスライダから離脱するようにしたものも知られている（特許文献１）。
【０００５】
かかる構成の自動販売機は、通常時には商用電源からの電力供給を受けて運転・販売制御を行うように構成されており、また、キー操作による扉ロック装置の鎖錠・解錠に伴って外扉を開閉するように構成されている。
【０００６】
ところで、自動販売機の庫内には缶入り飲料，ペットボトル入り飲料などの清涼飲料（商品）が収容されていることから、震災などの緊急時にこれを飲料供給源として提供すれば自動販売機が緊急時の食品供給拠点として役立つ。ところが、震災などの緊急時にライフラインが停止した場合には自動販売機の運転・販売制御も停止するので庫内の商品を販売に供することができず、また、キーを持ち合わせていなければ扉ロック装置を解錠して外扉を開放することができないので庫内の商品を提供することができない。そこで、商用電源が停止した場合、キーにより扉ロック装置を解錠することなく外扉を開放できるようにした自動販売機が知られている（例えば、特許文献２）。この特許文献２に記載された自動販売機は、スライダに連結されたレバー部材をディスプレイ室に臨む位置に回動自在に設ける一方、ディスプレイ室を構成する透明板のレバー部材の近傍に操作孔を設け、扉ロック装置が施錠された状態（外扉のロック状態）においても前記操作孔の開口を介してレバー部材を回動させることによりスライダを上方にスライド移動させてフック金具との係合を解除するように構成されている。ここで、前記操作孔は透明板に操作孔の周縁に沿って薄肉の溝を形成し、外部から力を加えることにより溝部分を破損させることにより開口するように構成され、常時は操作孔が塞がれてレバー部材が外部に露出することがないように構成されている。
【先行技術文献】
【特許文献】
【０００７】
【特許文献１】特許第４５２４６５４号広報
【特許文献１】特許第４５７９０４４号公報
【発明の開示】
【発明が解決しようとする課題】
【０００８】
前記特許文献２に記載された自動販売機は、緊急時には操作孔に外力を加えて開口させたうえで当該開口を介してレバー部材を操作することにより、扉ロック装置が施錠された状態（外扉のロック状態）においても外扉のロック状態を解除して外扉を開放させることができる点で優れている。しかしながら、操作孔は自動販売機の中でも目立つ存在であるディスプレイ室に配設され、かつ、外力を加えれば開口させることができることから不正行為により盗難にあうことは否めない。また、操作孔はディスプレイ室の透明板を破損することにより開口されることから復旧には新たな透明板を必要とするという課題を有する。さらに、特許文献２に記載された自動販売機は、特許文献１に記載されたハンドルロックの操作ハンドルの回転操作により回動する操作レバーに連動してスライダに係合・離脱するカンヌキ部材を備えていない自動販売機には有効であるものの前記カンヌキ部材を備えた自動販売機には適用できないという課題を有する。
【０００９】
本発明は上記の点に鑑みなされたものであり、その目的は前記課題を解決し、不正行為による盗難を防止可能なカンヌキ部材の機能を損なうことなく、緊急時には飲料供給源として庫内に収容した商品を供給することが可能な自動販売機を提供することにある。
【課題を解決するための手段】
【００１０】
上記目的を達成するために請求項１にかかる発明は、前面が開口した本体キャビネットと、当該本体キャビネットの開口を開閉する外扉と、前記外扉の前面に配設した操作ハンドルの操作に連動して回動する操作レバーより当該外扉に設けたスライダをスライド移動させて本体キャビネットに設けたフック金具と係合・離脱させて外扉をロック・アンロックする扉ロック装置と、前記扉ロック装置による外扉のロック時にはスライダに係合し、前記扉ロック装置による外扉のアンロック時にはスライダから離脱する態様で扉ロック装置の操作レバーに連動してスライダに係合・離脱するカンヌキ部材を備えた自動販売機において、前記カンヌキ部材をスライダに係合する方向に付勢する態様で操作レバーに当接させてなる付勢手段と、前記付勢手段に抗する方向にカンヌキ部材を駆動して操作レバーから離隔させる駆動源と、前記スライダを手動操作する態様でスライド移動させてフック金具から離脱させるスライダ移動手段と、補助電源装置と、商用電源の停止時に駆動源に補助電源装置から電力を供給する制御手段を備え、前記カンヌキ部材は、通常時には付勢手段の付勢力により前記扉ロック装置の操作レバーに連動してスライダに係合・離脱するように構成される一方、商用電源の停止時に補助電源装置から給電される駆動源により駆動されてスライダから離脱してスライダ移動手段によるスライダの手動操作を許容することを特徴とする。
【００１１】
また、請求項２に係る発明は請求項１に記載の自動販売機において、外扉におけるスライダの近傍に形成された開口部を閉塞するカバー部材を備え、スライダを直接的に手動操作する態様でスライド移動させてフック金具から離脱させるスライダ移動手段は、前記蓋部材を開放したうえで前記開口部を介してスライダを直接操作するように構成されてなることを特徴とする。
【発明の効果】
【００１２】
本発明の請求項１に係る自動販売機によれば、前面が開口した本体キャビネットと、当該本体キャビネットの開口を開閉する外扉と、前記外扉の前面に配設した操作ハンドルの操作に連動して回動する操作レバーより当該外扉に設けたスライダをスライド移動させて本体キャビネットに設けたフック金具と係合・離脱させて外扉をロック・アンロックする扉ロック装置と、前記扉ロック装置による外扉のロック時にはスライダに係合し、前記扉ロック装置による外扉のアンロック時にはスライダから離脱する態様で扉ロック装置の操作レバーに連動してスライダに係合・離脱するカンヌキ部材を備えた自動販売機において、前記カンヌキ部材をスライダに係合する方向に付勢する態様で操作レバーに当接させてなる付勢手段と、前記付勢手段に抗する方向にカンヌキ部材を駆動して操作レバーから離隔させる駆動源と、前記スライダを手動操作する態様でスライド移動させてフック金具から離脱させるスライダ移動手段と、補助電源装置と、商用電源の停止時に駆動源に補助電源装置から電力を供給する制御手段を備え、前記カンヌキ部材は、通常時には付勢手段の付勢力により前記扉ロック装置の操作レバーに連動してスライダに係合・離脱するように構成される一方、商用電源の停止時に補助電源装置から給電される駆動源により駆動されてスライダから離脱してスライダ移動手段によるスライダの手動操作を許容し、商用電源が停止した緊急時にはスライダ移動手段の手動操作によりスライダをスライド移動させてフック金具から離脱させることにより、扉ロック装置が施錠状態（外扉がロック状態）であってもスライダ移動手段により外扉を開放して庫内の飲料を提供することができる。また、通常時にスライダ移動手段の手動操作によりスライダをスライド移動させようとする不正行為に対してはカンヌキ部材がスライダに係合していることにより外扉のロック状態を維持するので不正行為による盗難を防止するというカンヌキ部材の当初の機能を損なうことがないものである。
【００１３】
また、本発明の請求項２に係る自動販売機によれば、請求項１に記載の自動販売機において、外扉におけるスライダの近傍に形成された開口部を閉塞するカバー部材を備え、スライダを手動操作する態様でスライド移動させてフック金具から離脱させるスライダ移動手段は、前記カバー部材を開放したうえで前記開口部を介してスライダを直接操作するように構成されてなることにより、外扉に開口部を形成するという簡単な構成により商用電源の停止時には直接的にスライダをスライド移動させて外扉を開放することができる。
【図面の簡単な説明】
【００１４】
【図１】本発明の実施の形態にかかる自動販売機の正面図である。
【図２】図１の自動販売機の外扉開放状態の斜視図である。
【図３】図１の自動販売機における通常時の扉ロック装置近傍の主要部を背面側から見た説明図であり、（ａ）は扉ロック装置の施錠状態（外扉ロック状態）の説明図、（ｂ）は（ａ）のＡ部の拡大図である。
【図４】図３の自動販売機におけるハンドルロックとスライダとの関係を示す概略説明図である。
【図５】図３の（ａ）に対応する商用電源停止時の動作説明図である。
【図６】図１の自動販売機の機内給電系統を概略的に示すブロック図である。
【発明を実施するための形態】
【００１５】
以下、本発明の実施の形態を図面に基づいて詳細に説明する。
【００１６】
図１および図２に示すように、この自動販売機は、前面が開放した断熱筐体として形成された本体キャビネット１と、本体キャビネット１の前面にヒンジにより開閉可能に支持された外扉２とからなる。断熱筐体として形成された本体キャビネット１の庫内には商品を横倒し状態で収納するとともに下端部に商品搬出装置を有する商品ラックが収設されるとともに、前記商品ラックの下部には商品搬出装置により切り出された商品が滑動ないしは転動する前傾姿勢の商品搬出シュータが配設され、当該商品搬出シュータの下部であって各商品収納室の下端には、当該各商品収納室を冷却もしくは加熱して商品ラックに収納した商品をコールド・ホット状態に保存する冷却／加熱ユニットが配設されている。
【００１７】
前記外扉２の前面の上部域は透明板３で覆われ、この透明板３と外扉２に開閉可能に支持された中扉４との間の空間がディスプレイ室５として形成されている。前記中扉４の前面には、本体キャビネット１の庫内に収納した商品に対応した複数の商品見本７を左右に一列に並べて載置したディスプレイ台６が上下方向に３段並べて取付けられている。前記透明板３には、各ディスプレイ台６と対峙する位置に商品選択ボタンユニット８が設けられ、商品選択ボタンユニット８は、ディスプレイ台６に載置された各商品見本７に対応して左右に一列に並べて設けた商品選択ボタン８ａを有している。また、外扉２の前面には、硬貨投入口２１、紙幣挿入口２２、返却レバー２３、表示器２４、硬貨返却口２５、商品取出口２６、ハンドルロック９などが設けられ、外扉２の背面には硬貨識別装置２７、紙幣識別装置２８などが設けられている。なお、図１におけるハンドルロック９の下方に穿たれた取付穴２９は、ハンドルロック９とともに外扉２を二重にロックする補助ロック装置のシリンダー錠（不図示）を取り付けるための取付穴である。
【００１８】
前記ハンドルロック９は、図１に示すように、外扉２に装着されるハンドルケース９１と、このハンドルケース９１に組み込まれた操作ハンドル９２と、この操作ハンドル９２の枢軸部に嵌め込み固定されたシリンダー錠９３とを備えている。このハンドルロック９の背後における本体キャビネット１と外扉２との間にはフック金具Ｆ（図２参照）と上下にスライド移動可能なスライダＳＬ（後述する図４参照）とからなるロック機構が設けられている。フック金具Ｆは本体キャビネット１の前面開口端部に前方に突出して設けられる一方、スライダＳＬは外扉２におけるヒンジとは反対側の端部に形成された袋状の扉枠内部に上下方向にスライド移動自在に配設されている。前記外扉２の扉枠には開口したスリット穴２ａ（図２参照）が形成されており、前記外扉２を閉じた際にフック金具Ｆがスリット穴２ａを介して扉枠内に配設された前記スライダＳＬの矩形の開口に進入して係合・離脱するものである。前記本体キャビネット１に設けたフック金具Ｆをスライダの開口に進入させて係合・離脱させることにより外扉２をロック・アンロックするように構成されているのは周知のとおりである。前記フック金具ＦとスライダＳＬとからなるロック機構および前記ハンドルロック９により扉ロック装置を構成している。
【００１９】
前記扉ロック装置が配された外扉の要部構成図を図３に示す。図３は通常時の扉ロック装置近傍の主要部を背面側から見た状態を示している。
【００２０】
図において、９４はハンドルロック９における操作ハンドル９２（図１参照）の後端に連結された操作レバー、１０はハンドルロック９を囲繞するように形成された保護枠、１１は保護枠１０内部に左右方向にスライド移動自在に配されたカンヌキ部材、１２はカンヌキ部材１１を付勢するコイルばね、１３は保護枠１０に取り付けられた滑車１５に巻きかけられた索状２０を介して前記カンヌキ部材１１に連結されたソレノイド、１７は外扉２に開閉自在に軸支されたカバー部材、ＳＬＰはスライダＳＬ（後述する図４参照）に切り起しにより形成された突起である。なお、保護枠１０には操作レバー９４の背面を覆う蓋板がねじ止めされるものであるが、図では保護枠１０の内部を看取できるように蓋板を取り外した状態を示している。また、図では理解し易くするために、図２に示す硬貨識別装置２７、紙幣識別装置２８を取り外した状態であって、硬貨識別装置２７および紙幣識別装置２８に関連する部材として、硬貨投入口２１から投入された硬貨を硬貨識別装置２７に導く硬貨シュート２１ａ、返却レバー２３の後端に連結され、かつ、硬貨識別装置２７に設けられた硬貨選別機を開放操作する返却レバー片（不図示）に当接する返却操作レバー２３ａ、紙幣識別装置２８の紙幣挿入口２２が配される外扉２に形成された開口部２２ａが示されている。
【００２１】
前記保護枠１０内に配された操作レバー９４は、外扉２の扉枠に形成したスリット穴２ｂを介して前記外扉２の袋状の扉枠内部に上下方向にスライド移動自在に配設されたスライダＳＬに、図４に示すように係合している。すなわち、図４はハンドルロック９とスライダＳＬとの概略構成を示しており、ハンドルロック９における操作ハンドル９２の後端に連結された操作レバー９４がスライダＳＬに形成した矩形の係合穴ＳＬ１に進入して当該係合穴ＳＬ１の上端縁部に係合している。前記係合穴ＳＬ１は操作レバー９４が係合穴ＳＬ１の上端縁部に係合した状態において下方に長く延在して開口するように形成されている。また、前記操作レバー９４の基部には外周面から外方向に延在してカンヌキ部材１１に当接する当接片９４１が設けられている。
【００２２】
前記保護枠１０内部に左右方向にスライド移動自在に配設されたカンヌキ部材１１は角柱の棒状部材からなる。このカンヌキ部材１１の一端（図３では左端）は外扉２の袋状の扉枠に形成したスリット穴２ｂを介してスライダＳＬの切欠ＳＬ２（図４参照）に進入してスライダＳＬに係合・離脱する一方、前記カンヌキ部材１１の他端にはスライド方向に対して直角に延在する係合部１１ａ（図４参照）が形成されており、この係合部１１ａが前記操作レバー９４の当接片９４１に当接するように配設されている。前記カンヌキ部材１１を付勢するコイルばね１２は一端が外扉２の扉枠に係止されるとともに他端がカンヌキ部材１１の係合部１１ａに係止されており、カンヌキ部材１１をスライダＳＬに向けて付勢している。このコイルばね１２が付勢手段を構成する。
【００２３】
前記ソレノイド１３は可動鉄心１３ａが上下方向に移動する態様で外扉２に取付金具１４を介して取り付けられている。前記ソレノイド１３の可動鉄心１３ａに一端が係止された索状２０は保護枠１０に取り付けられた滑車１５に巻きかけれ、その他端がカンヌキ部材１１の他端に係止されている。前記ソレノイド１３は通常時は非励磁状態で可動鉄心１３ａを釈放した状態にある。そして、ソレノイド１３が非励磁状態にある場合に前記索状２０はカンヌキ部材１１がコイルばね１２の付勢力によりスライダＳＬの切欠ＳＬ２に進入してスライダＳＬと係合することを許容し、カンヌキ部材１１がスライダＳＬに係合・離脱するスライド移動を妨げることがないように構成されているものである。
【００２４】
また、ソレノイド１３には可撓性の板ばね材料からなるフック片１６ａを備えた係止部材１６が取り付けられている。この係止部材１６のフック片１６ａの自由端（フック先端）は通常時には釈放状態にある可動鉄心１３ａの平板面と当接して自由端側が反るように撓んでいる。そして、ソレノイド１３の励磁により可動鉄心１３ａが吸引された場合、係止部材１６のフック片１６ａの自由端（フック先端）は可動鉄心１３ａの平板面と相対移動して可動鉄心１３ａの平板面を乗り越えると復元して可動鉄心１３ａの頭部端縁に係合するように構成されている。この構成により、可動鉄心１３ａが吸引位置に保持されるので、コイルばね１２の付勢力により可動鉄心１３ａの釈放位置への復帰が阻止される。つまり、ソレノイド１３を励磁状態から非励磁状態としても可動鉄心１３ａが釈放位置に復帰することがないので、ソレノイド１３を短時間のみ通電させればカンヌキ部材１１をスライダＳＬから離脱した状態に保持することができる。前記ソレノイド１３がコイルばね１２に抗する方向にカンヌキ部材１１を駆動してスライダＳＬから離脱させる駆動源を構成する。
【００２５】
前記カバー部材１７は、図３の（ｂ）に示すように、取付穴２９を閉塞する舌片状に形成された板金製になる。前記取付穴２９は、ハンドルロック９とともに外扉２を二重にロックする補助ロック装置のシリンダー錠（不図示）を取り付けるために穿たれたものである。前記カバー部材１７の基端側（図では下端側）にカール状に巻かれた筒部からなる軸受１７ａを備え、また、カバー部材１７の基端側中央には切欠によりコイルばね１８の取付部１７ｂが形成されている。前記カバー部材１７を回動自在に支持する取付金具１９にはカール状に巻かれた筒部からなり、前記カバー部材１７の軸受１７ａの外側に位置するように形成された一対の軸受１９ａ，１９ａを有し、この軸受１９ａ，１９ａに跨って挿通される軸部材（不図示）を支持するように構成されている。なお、前記取付金具１９は前述したシリンダー錠付き補助ロック装置を装着するために予め外扉２に固着された錠部品取付金具である。
【００２６】
前記カバー部材１７は、取付金具１９の左右一対の軸受１９ａ，１９ａの間に軸受１７ａを配置した状態で取付部１７ｂにコイルばね１８を配置したうえで、前記左右一対の軸受１９ａ，１９ａの一方から軸部材（不図示）を挿通して組付けられる。この場合、コイルばね１８はその一端がカバー部材１７に当接し、かつ、他端が取付金具１９に当接した状態でカバー部材１７を取付穴２９に向けて付勢する態様で装着される。したがって、カバー部材１７は軸部材により回動自在に軸支されるとともにコイルばね１８により取付穴２９を閉塞する方向に付勢されている。
【００２７】
そして、前記スライダＳＬに切り起しにより形成された突起ＳＬＰは、外扉２の扉枠に形成したスリット穴２ｃを介して前記カバー部材１７の近傍にまで延在している。ここで、前記突起ＳＬＰは、図３の（ｂ）に示すように、外扉２の前面から取付穴２９を介してカバー部材１７を開放させると、取付穴２９から目視することができ、かつ、取付穴２９に指若しくは工具を挿入して突起ＳＬＰを上方へ持ち上げることができるように延在しているものである。前記取付穴２９から指若しくは工具を挿入して突起ＳＬＰ（スライダＳＬ）を直接手動操作する形態がスライダ移動手段を構成する。
【００２８】
かかる構成において、本体キャビネット１から外扉２を開放した状態ではスライダＳＬはフック金具Ｆと係合・離脱する矩形の開口が上方に移動して当該開口からフック金具Ｆが離脱可能な上昇位置まで上昇すると、スライダ保持部材が前記開口に上端縁部に係止して上昇位置に保持されているのは公知（例えば、特開２００２−３４２８２７号公報）のとおりである。スライダＳＬが上昇位置に保持されている場合、カンヌキ部材１１が係合する切欠ＳＬ２も上方に移動しているので、カンヌキ部材１１はスライダＳＬの側壁に当接してコイルばね１２によりスライダＳＬに向けて付勢された状態にある。この状態で外扉２を閉じてスライダＳＬの開口にフック金具Ｆが進入すると、スライダＳＬを上昇位置に係止しているスライダ保持部材がフック金具Ｆに押圧されてスライダＳＬの上昇位置への保持が解除される。これにより、スライダＳＬが下方へスライド移動してフック金具Ｆに係合するとともにスライダＳＬの切欠ＳＬ２がカンヌキ部材１１に対向する位置まで下降すると、それまでスライダＳＬの側壁に当接していたカンヌキ部材１１がコイルばね１２の付勢力によって前記切欠ＳＬ２に進入してスライダＳＬの上方へのスライド移動を阻止する。
【００２９】
前記外扉２を閉じてスライダＳＬを本体キャビネット１のフック金具Ｆに係合させて外扉をロックした状態ではハンドルロック９の操作ハンドル９２がハンドルケース９１に押し込まれ、シリンダー錠９３の施錠により操作ハンドル９２はハンドルケース９１の格納位置に拘束保持されている。この状態で操作ハンドル９２の後端部に取付けられた操作レバー９４はスライダＳＬの係合穴ＳＬ１の上縁に係合している（図４）。そして、自動販売機が商用電源からの電力供給を受けて運転・販売制御を実行している通常時においてはソレノイド１３が非励磁状態にあるので、カンヌキ部材１１はコイルばね１２の付勢力によりスライダＳＬの切欠ＳＬ２に進入してスライダＳＬが上方へスライド移動するのを阻止している。つまり、カンヌキ部材１１は外扉２を閉じてハンドルロック装置がロック状態にある通常時にスライダＳＬを上方にスライド移動させてフック金具Ｆから離脱させるような悪戯行為を阻止する機能を有する。
【００３０】
前記本体キャビネット１のフック金具Ｆから前記外扉２のスライダＳＬを離脱させて外扉２をアンロック状態とする場合、シリンダー錠９３のキー溝にキーを差し込んで時計方向（外扉２を正面から見た場合の回転方向）に回転操作すると、シリンダー錠９３におけるロータの回転により操作ハンドル９２とハンドルケース９１との係合作用が解除される。これにより操作ハンドル９２がハンドルケース９１から前方の突出位置に突出する。ハンドルケース９１から突出した操作ハンドル９２に手を掛けて反時計方向に回転操作すると、操作レバー９４が反時計方向に回転してスライダＳＬを上方に向けてスライド移動させる。これと同時に操作レバー９４に設けた当接片９４１が反時計方向（図４では時計方向）に回動するので、コイルばね１２の付勢力により当接片９４１に当接したカンヌキ部材１１の係合部１１ａを介してカンヌキ部材ＳＬはスライダＳＬの切欠ＳＬ２から離脱する方向にスライド移動してスライダＳＬの上方への移動を許容する。これによりスライダＳＬが上昇位置まで上昇してスライダ保持部材により上昇位置に保持されるとスライダＳＬとフック金具Ｆとの係合が解除されて外扉２がアンロック状態となる。この状態で操作ハンドル９２を手前に引くと外扉２が開放する。
【００３１】
一方、震災などにより商用電源が停止した場合には、図５に示すように、ソレノイド１３が励磁されてカンヌキ部材１１はスライダＳＬから引き外される。ここで、ソレノイド１３は、後述する図６に示す機内給電系統のブロック図に示すコンデンサ１２０によって、商用電源の停止により短時間のみ励磁されてカンヌキ部材１１をスライダＳＬから離脱させるものである。そして、スライダＳＬから離脱されたカンヌキ部材１１は、ソレノイド１３に設けた係止部材１６により可動鉄心１３ａが吸引位置に保持されるので、コイルばね１２の付勢力によりスライダＳＬに向けてスライド移動することなくスライダＳＬから離脱した状態に維持される。このように、震災などにより商用電源が停止した緊急時にはカンヌキ部材１１はスライダＳＬから離脱してスライダＳＬの上方へのスライド移動を許容する。
【００３２】
さて、震災などにより商用電源が停止した緊急時にはロックハンドル９が施錠状態（外扉２のロック状態）であるが、カンヌキ部材１１によるスライダＳＬのロックが解除されるので、取付穴２９を介してスライダＳＬを直接手動操作して次のように外扉２を開放して庫内の商品を提供する。すなわち、図３の（ｂ）に示すように、外扉２の前面から取付穴２９を閉塞したカバー部材１７を押圧して取付穴２９を開放させると、スライダＳＬに形成した突起ＳＬＰを目の当たりにすることができる。すなわち、前記突起ＳＬＰが前記取付穴２９の近傍にまで延在する態様でスライダＳＬに切り起しにより形成されているので、前記取付穴２９を介して突起ＳＬＰを目視することができる。そして、カバー部材１７を開けることにより開口した取付穴２９に指若しくは工具を挿入して突起ＳＬＰを上方へ持ち上げる。この場合、カンヌキ部材１１はスライダＳＬの上方へのスライド移動を許容するようにスライダＳＬから離脱している。したがって、取付穴２９に指若しくは工具により突起ＳＬＰを介してスライダＳＬを上昇位置までスライド移動させるとスライダＳＬがスライダ保持部材により上昇位置に保持され、かつ、フック金具Ｆとの係合が解除されるので、外扉２を手前に引っ張れば外扉２を開放することができる。ここで、施錠状態のハンドルロック９における操作レバー９４がスライダＳＬの係合穴ＳＬ１に進入しているが、前記係合穴ＳＬ１は操作レバー９４が係合穴ＳＬ１の上端縁部に係合した状態で操作レバー９４よりも下方に延在する態様で形成され、スライダＳＬが上方へスライド移動すると操作レバー９４が係合穴ＳＬ１内を相対移動するので、当該操作レバー９４によりスライダＳＬの上方へのスライド移動が妨げられることはない。
【００３３】
次に、この発明の実施の形態にかかる自動販売機の機内給電系統について、図６に示す自動販売機の要部を概略的に示すブロック図を用いて説明する。図において、１００は商用電源（ＡＣ１００Ｖ）、１１０は全波整流回路、１２０は全波整流回路１１０を介して充電される補助電源装置としてのコンデンサ、１３０は商用電源の停止時に駆動源に補助電源装置から電力を供給する制御手段としてのオフディレータイマ、１３０ａはオフディレータイマ１３０の常開接点、１４０は照明光源（ディスプレイ室５に展示された商品見本７を照明する例えば、ＬＥＤユニット）を点灯制御する照明制御部、１５０は冷却／加熱ユニット（本体キャビネット１の庫内の商品を販売適温に冷却若しくは加熱する蒸発器／凝縮器若しくはヒータ）を制御する冷却／加熱制御部、１６０は販売制御部（硬貨識別装置２７，紙幣識別装置２８からの投入金額を商品の販売価格と比較して商品選択ボタン８ａの販売可能状態を表示するＬＥＤを発光させたり、商品選択ボタン８ａからの選択信号を受信して販売信号を送出する制御部）、１７０は商品搬出装置（販売信号に基づいて商品ラックから商品を一個ずつ切り出して搬出する装置であり、例えばソレノイド駆動方式の商品搬出装置）である。なお、販売制御部１６０は図示を省略したＡＣ／ＤＣ変換器を介して商用電源１００に接続され、ＡＣ／ＤＣ変換器からのＤＣ２４ＶおよびＤＣ８Ｖの直流出力電圧により駆動されるものである。
【００３４】
この発明の実施の形態にかかる自動販売機は、図６のブロック図に示すように、照明制御部１４０，冷却／加熱制御部１５０，販売制御部１６０および商品搬出装置１７０は商用電源１００からの電力供給を受けて稼動するように構成されている。一方、ソレノイド１３は全波整流回路１１０を介して所定の電圧（例えば、直流２４Ｖ）に充電されるコンデンサ１２０からオフディレータイマ１３０の常開接点１３０ａを介して電力の供給を受けて作動するように構成されている。
【００３５】
かかる構成において、通常時は商用電源１００からの電力供給により照明制御部１４０からの信号によりＬＥＤが発光してディスプレイ室５に展示された商品見本７などを明るく照らし出すとともに冷却／加熱制御部１５０により冷却／加熱ユニットを運転制御して庫内の商品を販売適温に冷却／加熱し、硬貨または紙幣が投入されると硬貨識別装置２７または紙幣識別装置２８により識別して投入金額を積算するとともに商品の販売価格と比較して商品選択ボタン８ａの販売可能状態を表示するＬＥＤを発光させ、商品選択ボタン８ａが操作されると選択された商品の販売価格と投入金額とを演算して販売制御部１６０から商品搬出装置１７０に販売信号を供給して商品ラックから商品を一個ずつ搬出し、釣銭が必要な場合には硬貨識別装置２７から釣銭を払出す。また、オフディレータイマ１３０は商用電源１００が印加された状態では限時（計時）動作を開始しないことからその常開接点１３０ａが開成している。したがって、コンデンサ１２０が商用電源１００から全波整流回路１１０を介して所定電圧に充電される一方、ソレノイド１３は非励磁状態にある。
【００３６】
一方、震災などにより商用電源１００が停止するとオフディレータイマ１３０が限時動作を開始して設定した限時時間の終了時（限時時間の経過後）にその常開接点１３０ａが閉成してコンデンサ１２０に蓄電されたエネルギーによりソレノイド１３が短時間のみ励磁される。このソレノイド１３の励磁によりカンヌキ部材１１がスライダＳＬから離脱し、かつ、カンヌキ部材１１がスライダＳＬから離脱した状態はソレノイド１３の可動鉄心１３ａに係合する係止部材１６により保持されることは前述したとおりである。
【００３７】
前述したように、この実施の形態にかかる自動販売機においては、前面が開口した本体キャビネット１と、当該本体キャビネット１の開口を開閉する外扉２と、前記外扉２の前面に配設した操作ハンドル９２の操作に連動して回動する操作レバー９４より当該外扉２に設けたスライダＳＬをスライド移動させて本体キャビネット１に設けたフック金具Ｆと係合・離脱させて外扉２をロック・アンロックする扉ロック装置と、前記扉ロック装置による外扉２のロック時にはスライダＳＬに係合し、前記扉ロック装置による外扉２のアンロック時にはスライダＳＬから離脱する態様で扉ロック装置の操作レバー９４に連動してスライダＳＬに係合・離脱するカンヌキ部材１１を備えた自動販売機において、前記カンヌキ部材１１をスライダＳＬに係合する方向に付勢する態様で操作レバー９４に当接させてなる付勢手段（コイルばね１２）と、前記付勢手段（コイルばね１２）に抗する方向にカンヌキ部材１１を駆動して操作レバー９４から離隔させる駆動源（ソレノイド１３）と、前記スライダＳＬを手動操作する態様でスライド移動させてフック金具Ｆから離脱させるスライダ移動手段（取付穴２９から指若しくは工具を挿入して突起ＳＬＰを直接手動操作する形態）と、補助電源装置（コンデンサ１２０）と、商用電源１００の停止時に駆動源（ソレノイド１３）に補助電源装置（コンデンサ１２０）から電力を供給する制御手段（オフディレータイマ１３０）を備え、前記カンヌキ部材１１は、通常時には付勢手段（コイルばね１２）の付勢力により前記扉ロック装置の操作レバー９４に連動してスライダＳＬに係合・離脱するように構成される一方、商用電源１００の停止時に補助電源装置（コンデンサ１２０）から給電される駆動源（ソレノイド１３）により駆動されてスライダＳＬから離脱してスライダ移動手段によるスライダＳＬの手動操作を許容し、商用電源１００が停止した緊急時にはスライダ移動手段の手動操作によりスライダＳＬをスライド移動させてフック金具Ｆから離脱させることにより、扉ロック装置が施錠状態（外扉がロック状態）であってもスライダ移動手段により外扉２を開放して庫内の飲料を提供することができる。また、通常時にスライダ移動手段の手動操作によりスライダＳＬをスライド移動させようとする不正行為に対してはカンヌキ部材１１がスライダＳＬに係合していることにより外扉２のロック状態を維持するので不正行為による盗難を防止するというカンヌキ部材１１の当初の機能を損なうことがないものである。
【００３８】
なお、上記実施の形態においては、補助電源装置としてコンデンサ１２０、駆動源としてソレノイド１３、商用電源１００の停止時に駆動源に補助電源装置から電力を供給する制御手段としてオフディレータイマ１３０を用いた場合について説明したが、補助電源装置としては二次電池、駆動源としてはモータ、制御手段としてはツェナーダイオードなどを用いた停電検出回路を用いることもできるものである。また、スライダ移動手段として取付穴２９から指若しくは工具を挿入して突起ＳＬＰを直接手動操作する形態について説明したが、外扉２の取付穴２９にシリンダー錠付補助ロック装置を取り付け、シリンダー錠の後端にスライダＳＬを操作する補助操作レバーを設け、キーによりシリンダー錠付補助ロック装置を介して間接的にスライダを操作するように構成することもできるものである。したがって、本発明は実施の形態に限定されるものではない。
【符号の説明】
【００３９】
１…本体キャビネット、２…外扉、９…ハンドルロック、１１…カンヌキ部材、１２…コイルばね（付勢手段）、１３…ソレノイド（駆動源）、１６…係止部材、１７…カバー部材、２０…索状、２９…取付穴、９２…操作ハンドル、９４…操作レバー、１２０…コンデンサ(補助電源装置)、１３０…オフディレータイマ（制御手段）。
【図１】
0005895717.tif 000002
【図２】
0005895717.tif 000003
【図３】
0005895717.tif 000004
【図４】
0005895717.tif 000005
【図５】
0005895717.tif 000006
【図６】
0005895717.tif 000007